(57)【要約】【課題】光ファイバケーブルの光ファイバ素線の不要な曲がりを生じることなく、光学的特性に優れる接続を行うことができる光コネクタ組立て方法および光コネクタ組立て治具を提供する。【解決手段】本実施形態の光コネクタ組立て方法及び光コネクタ組立て治具１０によれば、外被把持部１８により光ファイバケーブル９０の外被９３を把持する。そして、光ファイバケーブル９０の光ファイバ素線９２を把持して、光コネクタフェルール１２の前部方向にコアパーツ部１３と外被把持部１８を押し付ける。これにより、コアパーツ部１３と外被把持部１８との間に光ファイバ素線９２の曲げ空間を形成することはない。よって、コアパーツ部１３と外被把持部１８との間に光ファイバ素線９２の不要な曲がりを生じることはなく、光ファイバ素線９２を内蔵光ファイバ９１に光学的に接続することができる。【選択図】図３
2010128455.tif 000002
【特許請求の範囲】
【請求項１】
光コネクタに光ファイバケーブルの光ファイバ素線を挿入把持する光コネクタ組立て方法であって、
外被把持部により前記光ファイバケーブルの外被を把持するとともに、素線把持部を有するコアパーツ部により前記光ファイバ素線を把持して、
前記コアパーツ部と前記外被把持部との間に前記光ファイバ素線の曲げ空間を形成しないように、前記光コネクタの軸方向に前記コアパーツ部と前記外被把持部とを押し付けながら、前記光ファイバ素線を前記光コネクタに挿入することを特徴とする光コネクタ組立て方法。
【請求項２】
光コネクタに光ファイバケーブルの光ファイバ素線を挿入把持する光コネクタ組立て治具であって、
前記光コネクタは、前記光ファイバケーブルの外被を把持する外被把持部と、
前記光ファイバ素線を把持する素線把持部を有するコアパーツ部とを有し、
前記外被把持部および前記コアパーツ部を搭載するベース部と、
該ベース部上に、前記光コネクタの軸方向に沿って前記コアパーツ部と前記外被把持部を押し付ける押し付け機構と、を備えていることを特徴とする光コネクタ組立て治具。
【請求項３】
前記光コネクタの前部にキャップが組み付けられており、
前記押し付け機構は、前記光コネクタの前部方向に前記コアパーツ部を押し付けた際に前記キャップに当接して、前記コアパーツ部を前記外被把持部側に付勢する弾性部材を備えることを特徴とする請求項２記載の光コネクタ組立て治具。
【請求項４】
前記光コネクタの前部にキャップが組み付けられており、
前記押し付け機構は、前記光コネクタの前部方向に前記コアパーツ部を押し付けた際に前記キャップに当接して、前記コアパーツ部を前記外被把持部側に付勢する突起部を備えることを特徴とする請求項２記載の光コネクタ組立て治具。
【発明の詳細な説明】
【技術分野】
【０００１】
本発明は、光コネクタに光ファイバケーブルの素線を挿入する光コネクタ組立て方法および光コネクタ組立て治具に関する。
【背景技術】
【０００２】
近年、インターネットの急速な普及により高速データ通信の要求が高まっている。これにより、各家庭まで光ファイバを布設するＦＴＴＨ（Ｆｉｂｅｒ  Ｔｏ  Ｔｈｅ  Ｈｏｍｅ）のサービスが拡大している。そこで、一般家庭内においても光接続用の光コネクタが取り扱われることが見込まれる。例えば、戸内で光通信機器に接続された光ファイバコードの端末に光コネクタを取り付ける。そして、壁面等に設けられた光接続用のアダプタに光コネクタのプラグを差し込む。これにより、家庭内の光通信機器をＦＴＴＨのネットワークに接続させることができる。
【０００３】
このような用途で使用される従来の光コネクタ組立て方法および光コネクタ組立て治具の一例を説明する。図７に示すように、外被把持部１０１により光ファイバケーブル１０２の外被１０３を把持する。そして、コアパーツ部１０４に不図示のくさびを差し込んで、コアパーツ部１０４の光ファイバ把持孔に光ファイバケーブル１０２を挿入する。そして、内蔵光ファイバ１０７に光ファイバケーブル１０２を突き当てた状態でくさびを抜き、光ファイバケーブル１０２をコアパーツ部１０４に固定する。これにより、光ファイバケーブル１０２を光コネクタフェルール１０６に内蔵されている内蔵光ファイバ１０７に光学的に接続するようにした光コネクタ組立て方法が知られている（例えば、特許文献１参照）。
【０００４】
【特許文献１】特開２００５−１１４７７０号公報
【発明の開示】
【発明が解決しようとする課題】
【０００５】
光ファイバケーブル１０２の外被１０３の後部を把持する外被把持部１０１とコアパーツ部１０４とが近接して設置されている構造の光コネクタにおいては、光コネクタ同士を嵌合した時の光コネクタフェルール１０６の後退に伴ってコアパーツ部１０４が後退する。この際に、コアパーツ部１０４と外被把持部１０１との間において、光ファイバケーブル１０２に局所的な曲がりが生じる場合があることがわかった。その後、光ファイバケーブル１０２の低温下にさらされるとその曲がりが増長される。これにより、曲げ損失等により光ファイバケーブル１０２の光学的特性に支障を及ぼす虞があった。
【０００６】
本発明は、上述した事情に鑑みてなされたものであり、その目的は、光コネクタ内で光ファイバケーブルの光ファイバ素線を挿入する際に、光ファイバ素線の不要な曲がりを生じることなく、光学的特性に優れた接続を行うことができる光コネクタ組立て方法および光コネクタ組立て治具を提供することにある。
【課題を解決するための手段】
【０００７】
上記課題を解決することができる本発明に係る光コネクタ組立て方法は、光コネクタに光ファイバケーブルの光ファイバ素線を挿入把持する光コネクタ組立て方法であって、外被把持部により前記光ファイバケーブルの外被を把持するとともに、素線把持部を有するコアパーツ部により前記光ファイバ素線を把持して、前記コアパーツ部と前記外被把持部との間に前記光ファイバ素線の曲げ空間を形成しないように、前記光コネクタの軸方向に前記コアパーツ部と前記外被把持部とを押し付けながら、前記光ファイバ素線を前記光コネクタに挿入することを特徴としている。
【０００８】
このように構成された光コネクタ組立て方法によれば、光ファイバは、外被把持部により光ファイバケーブルの外被が把持され、光ファイバ素線がコアパーツ部に把持される。そして、コアパーツ部と外被把持部との間に光ファイバ素線の曲げ空間を形成しないように、光コネクタの軸方向にコアパーツ部と外被把持部を押し付けながら、光ファイバ素線を光コネクタに挿入させる。コアパーツ部と外被把持部との間に光ファイバ素線の曲がりを生じることはないので、光学的特性に優れた接続方法を得ることができる。
【０００９】
また、上記課題を解決することができる本発明に係る光コネクタ組立て治具は、光コネクタに光ファイバケーブルの光ファイバ素線を挿入把持する光コネクタ組立て治具であって、前記光コネクタは、前記光ファイバケーブルの外被を把持する外被把持部と、前記光ファイバ素線を把持する素線把持部を有するコアパーツ部とを有し、前記外被把持部および前記コアパーツ部を搭載するベース部と、該ベース部上に、前記光コネクタの軸方向に沿って前記コアパーツ部と前記外被把持部を押し付ける押し付け機構と、を備えていることを特徴としている。
【００１０】
このように構成された光コネクタ組立て治具によれば、光ファイバケーブルは、外被把持部により外被が把持され、光ファイバ素線がコアパーツ部に把持される。そして、ベース部上で、光コネクタの軸方向に沿ってコアパーツ部と外被把持部を押し付けながら、光ファイバ素線を光コネクタに挿入させる。コアパーツ部と外被把持部との間で光ファイバ素線の曲がりを生じることはなく、光学的特性に優れた接続を行うことができる。
【００１１】
また、本発明に係る光コネクタ組立て治具は、前記光コネクタの前部にキャップが組み付けられており、前記押し付け機構は、前記光コネクタの前部方向に前記コアパーツ部を押し付けた際に前記キャップに当接して、前記コアパーツ部を前記外被把持部側に付勢する弾性部材を備えることが好ましい。
【００１２】
このように構成された光コネクタ組立て治具によれば、ベース部上で、コアパーツ部を光コネクタの前部方向に押し付けた際に、キャップが弾性部材に当接する。このとき、弾性部材の弾性変形によって、コアパーツ部は確実に外被把持部側に付勢される。これにより、光ファイバケーブルに大きな衝撃力を与えずに光ファイバケーブルの品質を保障することができる。
【００１３】
また、本発明に係る光コネクタ組立て治具は、前記光コネクタの前部にキャップが組み付けられており、前記押し付け機構は、前記光コネクタの前部方向に前記コアパーツ部を押し付けた際に前記キャップに当接して、前記コアパーツ部を前記外被把持部側に付勢する突起部を備えることが好ましい。
【００１４】
このように構成された光コネクタ組立て治具によれば、ベース部上で、コアパーツ部を光コネクタの前部方向に押し付けた際に、キャップが突起部に当接する。このとき、突起部によって、コアパーツ部は確実に外被把持部側に付勢される。これにより、光ファイバケーブルに大きな衝撃力を与えずに光ファイバケーブルの品質を保障することができる。また、接続後に光コネクタをベース部から容易に取り外すことができる。
【発明の効果】
【００１５】
本発明に係る光コネクタ組立て方法および光コネクタ組立て治具によれば、光コネクタ内で光ファイバケーブルの光ファイバ素線を挿入する際に、光ファイバ素線の不要な曲がりを生じることなく、光学的特性に優れた光コネクタ組立て方法および光コネクタ組立て治具を提供できる。
【発明を実施するための最良の形態】
【００１６】
以下、図を参照して本発明の複数の好適な実施形態を説明する。
【００１７】
（第１実施形態）
図１〜図３は本発明に係る光コネクタ組立て方法および光コネクタ組立て治具の第１実施形態を示すもので、図１は本発明の第１実施形態に係る光コネクタ組立て方法を適用した光コネクタ組立て治具の外観斜視図、図２は図１の光コネクタ組立て治具の要部拡大図、図３は図１の光コネクタ組立て治具を適用した光コネクタ組立て方法を説明する水平断面図である。
【００１８】
図１〜図３に示すように、本発明の一実施形態である光コネクタ組立て治具１０は、光コネクタを収容するベース部１１を備えている。光コネクタは、光コネクタフェルール１２、ハウジング１５、レバー１６および外被把持部１８を備えている。ハウジング１５は、コアパーツ部１３およびストッパ１４を収容している。また、光コネクタフェルール１２の前部には、キャップ１７が組み付けられている。
【００１９】
本発明の一実施形態である光コネクタ組立て治具１０に適用される光ファイバケーブル９０は、被覆を有する複数本の光ファイバ素線９２の周囲に、アラミド繊維等からなる不図示の抗張力体が複数本縦添えされている。そして、その周囲にＰＶＣ等の外被９３で被覆された断面矩形の構成である。具体的な構成を例示すると、光ファイバ素線９２の外径は、例えば０．９ｍｍである。
【００２０】
図１及び図２に示すように、ベース部１１は、例えば硬質の樹脂材料を用いて横長の板形状であって、片手で持ち易い形状に形成されている。ベース部１１は、平板状のベース本体２０の前端部に当接部２１、ベース本体２０の前部にハウジング装着部２２、ベース本体２０の後端部の外被把持部用の載置部２３を有している。
【００２１】
当接部２１は、ベース本体２０の前端部に立設されている。この当接部２１のハウジング装着部２２側に弾性部材である板ばね２４が組み付けられている。板ばね２４は、キャップ１７に当接することで、キャップ１７側に弾性力を付与する。
【００２２】
ハウジング装着部２２は、２対の支持突起２５，２６を並列に突設しており、一方の支持突起２５，２５の内側に１対の補助突起２７，２７を有している。他方の支持突起２６，２６の上端部には、ハウジング用の抜け止め部２８，２８を有している。
【００２３】
ハウジング装着部２２は、支持突起２６，２６の間にくさび孔２９を有しており、このくさび孔２９内にくさび部材３０が収容されている。このくさび部材３０は、レバー１６が開放されているときにベース部１１の下方からハウジング装着部２２内に突出している。そして、レバー１６が閉められるときにベース部１１の下方に移動するようになっている。
【００２４】
外被把持部用の載置部２３は、ハウジング装着部２２の後方に配置されている。この載置部２３は、光コネクタフェルール１２への接続前に、光ファイバケーブル９０の後部９５の外被９３を把持した外被把持部１８を載置してセッティングするのに用いられる。
【００２５】
ハウジング１５は、樹脂部材のハウジング本体３１の両側部に弾性を有する１対の摘み部３２，３２を有している。また、ハウジング１５は、後端部に外被把持部１８を誘導するための１対のガイド板３３，３３を有している。
【００２６】
そして、ハウジング１５内に、光コネクタフェルール１２、コアパーツ部１３及びキャップ１７を収容する。その後、摘み部３２，３２を手で握ってベース部１１の上方からハウジング装着部２２に装着する。このとき、摘み部３２，３２とハウジング本体３１の間に補助突起２７，２７が挿入される。これにより、ハウジング１５は、２対の支持突起２５，２６によりハウジング装着部２２に位置決めされる。
【００２７】
レバー１６は、ハウジング本体３１の後端部に枢軸３４を介して回動自在に支持されており、後端部に外被把持部１８に当接する外被把持部用の支持部３５を有している。このレバー１６は、開放されているとき、載置部２３に載置されている外被把持部１８が進行されて内側に収容されてから閉められる。
【００２８】
次に、図３を参照して、光コネクタ組立て治具１０の詳細および光コネクタ組立て方法について説明する。図３に示すように、ハウジング１５は、その前部にキャップ収容部３６を有し、隔板３７を介して、その後部にコアパーツ部用の収容部３８を有している。
【００２９】
コアパーツ部１３は、樹脂製の円筒形状に形成されており、中央部に光ファイバ素線９２を収容してから把持可能な素線把持部３９を有している。具体的に、コアパーツ部１３には、素線把持部３９の下部に軸方向に沿ってくさび孔２９（図２参照）を有する。
【００３０】
また、コアパーツ部１３は、前端部に光コネクタフェルール１２を挿入するためのコネクタ挿入部４０を有し、後端部に円錐状に形成されたファイバ誘導部４１を有している。また、コアパーツ部１３は、ファイバ誘導部４１の外側にフランジ部４２を有している。
【００３１】
ストッパ１４は、後端側の下方に半円錐状に形成された外被把持部用の受部４３を有し、コアパーツ部１３に一体的に組み付けられている。
【００３２】
キャップ１７は、金属製であって、筒部４４の前端部に端板４５を有する。キャップ１７は、筒部４４内に内装部材４６と光コネクタフェルール１２を収容している。キャップ１７は、ハウジング１５のキャップ収容部３６に収容されることで、端板４５をベース部１１の当接部２１に組み付けられる。
【００３３】
このような構成の光コネクタ組立て治具１０を使用して光コネクタ内への光ファイバケーブル９０の接続作業を行う。
先ず、筒部４４内に内装部材４６と光コネクタフェルール１２とを収容したキャップ１７をキャップ収容部３６に収容する。そして、コアパーツ部１３を収容部３８に収容したハウジング１５をベース部１１のハウジング装着部２２に装着する。このとき、レバー１６は開放されている。
【００３４】
次に、所定の長さに切断された光ファイバケーブル９０の後部９５の外被９３を把持した外被把持部１８を載置部２３上に載置する。これにより、光ファイバケーブル９０は、外被９３を除去された光ファイバ素線９２をハウジング１５に向けて配置する。
【００３５】
次に、外被把持部１８を載置部２３からハウジング１５のガイド板３３，３３内に進行させる。このとき、レバー１６は開放されているため、くさび部材３０によってコアパーツ部１３の素線把持部３９が拡径されている。これにより、外被把持部１８はストッパ１４の受部４３に誘導されてストッパ１４に当接する。そして、外被把持部１８とともに進行する光ファイバ素線９２は、コアパーツ部１３の光ファイバ誘導部４１を通じて素線把持部３９内に収容されて行く。
【００３６】
次に、外被把持部１８をハウジング１５のガイド板３３，３３内に進行させた後、レバー１６を閉める。レバー１６を閉めることで、くさび部材３０がベース部１１の下方に戻る。これにより、コアパーツ部１３の素線把持部３９が縮径されて、素線把持部３９によって光ファイバ素線９２が把持される。
【００３７】
レバー１６の閉めにより、外被把持部１８の後端部は、支持部３５に当接する。そして、ストッパ１４を介してコアパーツ部１３の後端部は、外被把持部１８に当接する。このため、コアパーツ部１３は、キャップ１７の端板４５が当接している板ばね２４の弾性力に抗して前方に押圧される。これにより、光ファイバ素線９２が素線把持部３９に把持されている光ファイバケーブル９０は、光コネクタのコネクタハウジング１９内に内蔵されている内蔵光ファイバ９１に対して、光学的に接続される。
【００３８】
このとき、光コネクタフェルール１２の前部方向にコアパーツ部１３と外被把持部１８を押し付けることで、コアパーツ部１３と外被把持部１８との間に光ファイバ素線９２の曲げ空間を形成することはない。これにより、コアパーツ部１３と光コネクタフェルール１２との間にガタ付き等を生じることはない。また、コアパーツ部１３と外被把持部１８との間に光ファイバ素線９２の不要な曲がりを生じることはない。
【００３９】
以上説明したように、本実施形態に係る光コネクタ組立て方法および光コネクタ組立て治具１０によれば、光ファイバケーブル９０は、外被把持部１８により後部９５の外被９３が把持される。そして、前部９４の光ファイバ素線９２がコアパーツ部１３に把持される。そして、コアパーツ部１３を光コネクタフェルール１２の前部方向に押し付けながら、光ファイバ素線９２が内蔵光ファイバ９１に接続される。これにより、コアパーツ部１３と光コネクタフェルール１２との間にガタ付き等を生じることはない。また、コアパーツ部１３と外被把持部１８との間に曲がりを生じることはなく、光学的特性に優れる接続状態を得ることができる。
【００４０】
また、ベース部１１上でコアパーツ部１３を光コネクタのコネクタハウジング１９の前部方向に押し付けた際に、キャップ１７を板ばね２４に当接させる。これにより、板ばね２４の弾性力によってキャップ１７が押圧されて、光ファイバケーブル９０に大きな衝撃力を与えないようにして光ファイバケーブル９０の品質を保障することができる。
【００４１】
（第２実施形態）
次に、図４〜図６を参照して、本発明に係る光コネクタ組立て方法および光コネクタ組立て治具の第２実施形態について説明する。
図４は本発明の第２実施形態に係る光コネクタ組立て方法を適用した光コネクタ組立て治具の外観斜視図、図５は図４の光コネクタ組立て治具の要部拡大図、図６は図４の光コネクタ組立て治具を適用した光コネクタ組立て方法を説明する水平断面図である。なお、以下の第２実施形態において、上述した第１実施形態と同じ構成や機能については、図中に同一符号を付することによって説明を省略する。
【００４２】
図４〜図６に示すように、本発明の第２実施形態に係る光コネクタ組立て方法を適用した光コネクタ組立て治具６０は、第１実施形態で用いた板ばね２４に代えて１対の小突起６１，６１を当接部２１に設けている。この小突起６１，６１は、当接部２１の突出方向である縦方向に沿って平行に突設されている。
【００４３】
第２実施形態の光コネクタ組立て治具６０を用いた光コネクタ組立て方法では、レバー１６を閉じることにより、外被把持部１８の後端部が支持部３５に当接する。そして、ストッパ１４を介してコアパーツ部１３の後端部が外被把持部１８に当接する。これにより、コアパーツ部１３は、キャップ１７の端板４５が当接する小突起６１，６１により前方への移動が拘束される。
【００４４】
このとき、光コネクタフェルール１２の前部方向にコアパーツ部１３と外被把持部１８を押し付けることで、コアパーツ部１３と外被把持部１８との間に光ファイバ素線９２の曲げ空間を形成することはない。これにより、コアパーツ部１３と光コネクタフェルール１２との間にガタ付き等を生じることはない。また、コアパーツ部１３と外被把持部１８との間に光ファイバ素線９２の不要な曲がりを生じることはない。
【００４５】
これにより、光ファイバ素線９２が把持されている光ファイバケーブル９０は、ガタ付きなく組み付けられているコアパーツ部１３、ストッパ１４及び外被把持部１８を介して、光ファイバ素線９２を光コネクタフェルール１２内の内蔵光ファイバ９１に光学的に接続する。
【００４６】
本実施形態に係わる光コネクタ組立て方法および光コネクタ組立て治具６０は、上述した第１実施形態と同様の作用効果を奏する。特に本実施形態によれば、ベース部１１上で、コアパーツ部１３を光コネクタフェルール１２の前部方向に押し付けた際に、キャップ１７が小突起６１，６１に当接する。これにより、キャップ１７は小突起６１，６１に押圧されて、光ファイバケーブル９０に大きな衝撃力を与えることはなく光ファイバケーブル９０の品質を保障することができる。また、接続後に光コネクタのベース部１１からの取り外しを容易に行うことができる。
【００４７】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００４８】
【図１】本発明の第１実施形態に係る光コネクタ組立て方法を適用した光コネクタ組立て治具の外観斜視図である。
【図２】図１の光コネクタ組立て治具の要部拡大図である。
【図３】図１の光コネクタ組立て治具を適用した光コネクタ組立て方法を説明する水平断面図である。
【図４】本発明の第２実施形態に係る光コネクタ組立て方法を適用した光コネクタ組立て治具の外観斜視図である。
【図５】図４の光コネクタ組立て治具の要部拡大図である。
【図６】図４の光コネクタ組立て治具を適用した光コネクタ組立て方法を説明する水平断面図である。
【図７】従来の光コネクタ組立て方法の概略図である。
【符号の説明】
【００４９】
１０    光コネクタ組立て治具
１１    ベース部
１２    光コネクタフェルール
１８    外被把持部
１９    コネクタハウジング
２４    板ばね（弾性部材）
６０    光コネクタ組立て治具
６１    小突起（突起部）
９０    光ファイバケーブル
９１    内蔵光ファイバ
９２    光ファイバ素線（素線）
９３    外被
【図１】
2010128455.tif 000003
【図２】
2010128455.tif 000004
【図３】
2010128455.tif 000005
【図４】
2010128455.tif 000006
【図５】
2010128455.tif 000007
【図６】
2010128455.tif 000008
【図７】
2010128455.tif 000009